(57)【要約】【課題】      電子回路の素子特性のばらつきに影響されずに方向指示灯の断線検出を適切に行う車両用方向指示灯制御装置の方向指示灯断線検出閾値の補正方法を提供する。【解決手段】  外部からの制御信号に基づいて車両の方向指示灯２を点滅駆動する駆動部１Ｂと、駆動部１Ｂに並列に接続され駆動部１Ｂに流れる電流に比例した電流が方向指示灯２の断線検出用のモニタ電流Ｉ１として流れる電流モニタ部１Ａとを備え、方向指示灯操作スイッチ５の操作に基づいて駆動部１Ｂに制御信号を出力して方向指示灯２の点滅制御を行う一方、モニタ電流Ｉ１の値とあらかじめ設定された方向指示灯２の断線検出閾値ＩＭとに基づいて方向指示灯２の断線を検出し警報発生器４により断線警報を行う制御装置本体１において、方向指示灯２断線時のモニタ電流Ｉ１の理論値Ｉ１Ｔを算出するとともに、モニタ電流Ｉ１の実測値Ｉ１Ｒを測定し、それらの差に基づいて断線検出閾値ＩＭの補正を行う。【選択図】      図１
2007015654.tif 000002
【特許請求の範囲】
【請求項１】
外部から受け取った制御信号に基づいて車両の方向指示灯を点滅駆動する駆動部と、
前記駆動部に並列に接続され前記駆動部に流れる電流に比例した電流が前記方向指示灯の断線検出用のモニタ電流として流れる電流モニタ部とを備え、
前記方向指示灯の点滅操作を行う方向指示器の操作に基づいて前記駆動部に制御信号を出力して前記方向指示灯の点滅制御を行う一方、前記モニタ電流の値とあらかじめ設定された前記方向指示灯の断線検出閾値とに基づいて前記方向指示灯の断線を検出し、警報発生器により断線警報を行う車両用方向指示灯制御装置の方向指示灯断線検出閾値の補正方法であって、
前記方向指示灯断線時の前記モニタ電流の理論値を算出するとともに、該モニタ電流の実測値を測定し、前記理論値と前記実測値との差に基づいて前記断線検出閾値の補正を行うことを特徴とする車両用方向指示灯制御装置の方向指示灯断線検出閾値の補正方法。
【発明の詳細な説明】
【技術分野】
【０００１】
本発明は、車両用方向指示灯制御装置の方向指示灯断線検出閾値の補正方法に関するものである。
【背景技術】
【０００２】
一般に、車両の方向指示灯の点滅制御を行う車両用方向指示灯制御装置においては、方向指示灯が断線した際に断線を検出して警報を行う断線検出機能を備えているものが多い。このような車両用方向指示灯制御装置では、方向指示灯の断線に伴い発生する電流値の変化を電子回路で検出して断線を検出する方法が一般的に用いられている。ここで、断線検出を行う電子回路を構成する素子の温度特性や電圧特性等によって、電子回路を流れる電流が変化してしまう場合があり、このような場合においては電流値に基づいた断線検出が適切に行われない可能性がある。このため、素子の温度特性や電圧特性を考慮し、温度や電圧の変動に伴い断線検出を行う電流値の補正を行って、断線検出が適切に行われるようにした車両用方向指示灯制御装置の方向指示灯断線検出閾値の補正方法が提案されている（特許文献１）。
【特許文献１】特開平０６ー１３０１１２号公報
【発明の開示】
【発明が解決しようとする課題】
【０００３】
しかしながら、一般的に回路素子は同じ素子でもその性能特性にばらつきを有している場合が多く、温度変動や電圧変動よる電流の変化が無視できる場合でも、この素子の性能特性のばらつきにより断線検出を行う電子回路に流れる電流値が変化して、断線検出が適切に行われない可能性がある。
本発明の課題は、電子回路の素子特性のばらつきに影響されずに方向指示灯の断線検出を適切に行う車両用方向指示灯制御装置の方向指示灯断線検出閾値の補正方法を提供することにある。
【課題を解決するための手段】
【０００４】
上記課題を解決するために、請求項１に記載の発明は、外部から受け取った制御信号に基づいて車両の方向指示灯を点滅駆動する駆動部と、前記駆動部に並列に接続され前記駆動部に流れる電流に比例した電流が前記方向指示灯の断線検出用のモニタ電流として流れる電流モニタ部とを備え、前記方向指示灯の点滅操作を行う方向指示器の操作に基づいて前記駆動部に制御信号を出力して前記方向指示灯の点滅制御を行う一方、前記モニタ電流の値とあらかじめ設定された前記方向指示灯の断線検出閾値とに基づいて前記方向指示灯の断線を検出し、警報発生器により断線警報を行う車両用方向指示灯制御装置の方向指示灯断線検出閾値の補正方法であって、前記方向指示灯断線時の前記モニタ電流の理論値を算出するとともに、該モニタ電流の実測値を測定し、前記理論値と前記実測値との差に基づいて前記断線検出閾値の補正を行うことを特徴としている。
【０００５】
上記構成によれば、断線時に電流モニタ部に流れる電流の理論値と実測値の差に基づいてあらかじめ設定した断線検出閾値の補正を行うため、車両用方向指示灯制御装置は回路の素子特性のばらつきに影響されずに適切に方向指示灯の断線検出を行うことができる。
【発明の効果】
【０００６】
本発明によれば、電子回路の素子特性のばらつきに影響されずに方向指示灯の断線検出を適切に行う車両用方向指示灯制御装置の方向指示灯断線検出閾値の補正方法を実現することができる。
【発明を実施するための最良の形態】
【０００７】
以下、本発明の実施例を図面に従って説明する。
【実施例１】
【０００８】
図１は本実施例のブロック図である。
【０００９】
制御装置本体１は、車両（図示省略）右側に設置された車両右側方向指示灯２Ｒと車両左側に設置された車両左側方向指示灯２Ｌを備えた方向指示灯２に電気的に接続されており、方向指示灯操作スイッチ５（請求項の方向指示器）の操作に基づいて方向指示灯２の点滅制御を行う。
【００１０】
ここで、車両右側方向指示灯２Ｒは、車両前方右側に設置された方向指示灯２ＲＦ、車両前方右側面に設置された方向指示灯２ＲＳ、車両後方右側に設置された方向指示灯２ＲＢを備えている。同様に、車両左側方向指示灯２Ｌは、車両前方左側に設置された方向指示灯２ＬＦ、車両前方左側面に設置された方向指示灯２ＬＳ、車両後方左側に設置された方向指示灯２ＬＢを備えている。制御装置本体１は、方向指示灯操作スイッチ５の操作状態に基づいて、方向指示灯操作スイッチ５が図１のＲの位置に操作された場合は車両右側方向指示灯２Ｒの点滅を行い、方向指示灯操作スイッチ５が図１のＬの位置に操作された場合は車両左側方向指示灯２Ｌの点滅を行う。
【００１１】
制御装置本体１は、方向指示灯２断線時の電流変化を検出する電流モニタ部１Ａａと断線検出閾値ＩＭ（後述）等の各種設定値を記憶する記憶部１Ａｂとを備えたＣＰＵ１Ａと、方向指示灯２を駆動する駆動部１Ｂを備えている。ここで、電流モニタ部１Ａａは駆動部１Ｂと並列に接続されていわゆるカレントミラー回路を構成しており、方向指示灯２が断線して駆動部１Ｂに流れる電流Ｉ２が減少すると、電流モニタ部１Ａａに流れるモニタ電流Ｉ１も減少し、Ｉ２＝ｋ×Ｉ１の関係を備えている。係数ｋは素子特性としてあらかじめ定められている。また、電源から制御装置本体１および方向指示灯２に供給される総電流Ｉに対し、Ｉ＝Ｉ１＋Ｉ２の関係を備えている。
【００１２】
検査装置１０は、制御装置本体１の断線検出閾値ＩＭの補正を行う際に制御装置本体１に電気的に接続され、断線検出閾値補正開始信号および動作チェック開始信号を出力して制御装置本体１を検査モードに切り替え、断線検出閾値補正および動作チェックを行う。また制御装置本体１から断線検出閾値補正終了信号および動作チェック終了信号を受け取り、検査を終了する。
【００１３】
次に、図２〜図４に示すフローチャートを用いて、本実施例の動作の詳細を説明する。
【００１４】
まず図２のフローチャートにより、検査装置１０の動作を説明する。
【００１５】
ステップＳ１０１では、方向指示灯２の断線検出の指標である断線検出閾値ＩＭの補正を行うため、検査装置１０は制御装置本体１へ断線検出閾値補正開始信号を出力し、制御装置本体１を断線検出閾値補正の検査モードに切り替える。この後にフローはステップＳ１０２へ移行する。
【００１６】
ステップＳ１０２では、制御装置本体１の断線検出閾値補正（詳細動作は後述）を行う。この後にフローはステップＳ１０３へ移行する。
【００１７】
ステップＳ１０３では、制御装置本体１から断線検出閾値補正終了信号を受信したかどうかが判定される。制御装置本体１から断線検出閾値補正終了信号を受信した場合は、フローはステップＳ１０４へ移行する。一方、制御装置本体１から断線検出閾値補正終了信号を受信していない場合は、フローはステップＳ１０３へ戻る。
【００１８】
ステップＳ１０４では、方向指示灯２の動作チェックを行うため、検査装置１０は制御装置本体１へ動作チェック開始信号を出力し、制御装置本体１を動作チェックの検査モードに切り替える。この後にフローはステップＳ１０５へ移行する。
【００１９】
ステップＳ１０５では、制御装置本体１の動作チェック（詳細動作は後述）を行う。この後にフローはステップＳ１０６へ移行する。
【００２０】
ステップＳ１０６では、制御装置本体１から動作チェック終了信号を受信したかどうかが判定される。制御装置本体１から動作チェック終了信号を受信した場合は、フローはステップＳ１０７へ移行する。一方制御装置本体１から動作チェック終了信号を受信していない場合は、フローはステップＳ１０６へ戻る。
【００２１】
ステップＳ１０７で検査装置１０の動作は終了する。
【００２２】
以上のように、検査装置１０は制御装置本体１に対してまず断線検出閾値ＩＭの補正を行い、断線検出閾値ＩＭ補正後に方向指示灯２の動作チェックを行う。
【００２３】
次に図３のフローチャートにより、制御装置本体１の動作を説明する。
【００２４】
ステップＳ２０１では、検査装置１０から断線検出閾値補正開始信号を受信したかどうかが判定される。検査装置１０から断線検出閾値補正開始信号を受信した場合は、断線検出閾値補正の検査モードに切り替わり、フローはステップＳ２０２へ移行する。一方検査装置１０から断線検出閾値補正開始信号を受信していない場合は、フローはステップＳ２０１へ戻る。
【００２５】
ステップＳ２０２では、断線検出閾値ＩＭの補正が行われる（詳細動作は後述）。この後にフローはステップＳ２０３へ移行する。
【００２６】
ステップＳ２０３では、検査装置１０に断線検出閾値補正終了信号を出力する。この後にフローはステップＳ２０４へ移行する。
【００２７】
ステップＳ２０４では、検査装置１０から動作チェック開始信号を受信したかどうかが判定される。検査装置１０から動作チェック開始信号を受信した場合は、動作チェックの検査モードに切り替わり、フローはステップＳ２０５へ移行する。一方検査装置１０から動作チェック開始信号を受信していない場合は、フローはステップＳ２０４へ戻る。
【００２８】
ステップＳ２０５では、方向指示灯２の動作チェックが行われる。検査装置１０は制御装置本体１に方向指示灯操作スイッチ５の擬似的な操作信号を出力し、車両右側方向指示灯２Ｒ、車両左側方向指示灯２Ｌについて、それぞれ動作チェックを行う。動作チェックは、車両右側方向指示灯２Ｒ、車両左側方向指示灯２Ｌの点滅制御をそれぞれ行い、断線が発生していないかどうかの確認を行う。この後にフローはステップＳ２０６へ移行する。
【００２９】
ステップＳ２０６では、方向指示灯２の断線の有無が判定される。動作チェックにより方向指示灯２の断線がないことが確認された場合は、フローはステップＳ２０８へ移行する。一方、方向指示灯２の断線が検出された場合は、フローはステップＳ２０７へ移行する。
【００３０】
ステップＳ２０７では、メータパネル（図示省略）等に設けられた警報発生器４が備える警報灯（図示省略）の点灯または点滅を行い、方向指示灯２に断線があることの警報を行う。この後にフローはステップＳ２０８へ移行する。
【００３１】
ステップＳ２０８では、検査装置１０に動作チェック終了信号を出力する。この後にフローはステップＳ２０９へ移行する。
【００３２】
ステップＳ２０９で制御装置本体１の動作は終了する。
【００３３】
以上のように、制御装置本体１は検査装置１０によりまず断線検出閾値ＩＭの補正が行われ、断線検出閾値ＩＭ補正後に方向指示灯２の動作チェックが行われる。
【００３４】
次に図４のフローチャートにより、検査装置１０が行う断線検出閾値ＩＭの補正動作を説明する。
【００３５】
ステップＳ３０１では、断線検出閾値ＩＭと、断線検出閾値ＩＭのＡＤ変換値（図４中ではＡＤ値と記載）ＩＭＡＤを設定し、記憶部１Ａｂに記憶させる。ここで断線検出閾値ＩＭは断線を検出するための電流の閾値で、非断線時は電流モニタ部１Ａａを流れるモニタ電流Ｉ１が断線検出閾値ＩＭ以上となり、断線時にはモニタ電流Ｉ１が断線検出閾値ＩＭ以下になることで、方向指示灯２の断線の検出を行う。断線検出閾値ＩＭのＡＤ変換値ＩＭＡＤは、計測する電流値の範囲とＡＤ変換のビット数に基づいて算出することができる。なお、本ステップは制御装置本体１製造時にあらかじめ行っておくことも可能である。この後にフローはステップＳ３０２へ移行する。
【００３６】
ステップＳ３０２では、方向指示灯２断線時に電流モニタ部１Ａａに流れるモニタ電流Ｉ１の理論値Ｉ１Ｔを算出する。Ｉ１Ｔは、電源電圧の値、方向指示灯２の負荷容量、前述したカレントミラー回路の係数Ｋに基づいて算出することができる。ここで正常時のＩ１の理論値をＩ１Ｎとすると、Ｉ１Ｎ＞ＩＭ＞Ｉ１Ｔの関係がある。この後にフローはステップＳ３０３へ移行する。
【００３７】
ステップＳ３０３では、方向指示灯２断線時に電流モニタ部１Ａａに流れるモニタ電流Ｉ１の実測値Ｉ１Ｒを測定する。この後にフローはステップＳ３０４へ移行する。
【００３８】
ステップＳ３０４では、Ｉ１Ｔ、Ｉ１ＲのＡＤ変換値をそれぞれＩ１ＴＡＤ、Ｉ１ＲＡＤとして算出する。この後にフローはステップＳ３０５へ移行する。
【００３９】
ステップＳ３０５では、断線検出閾値ＩＭの補正量のＡＤ変換値ΔＡＤを次式（１）で算出する。
（１）・・・ΔＡＤ＝Ｉ１ＴＡＤ−Ｉ１ＲＡＤ
この後にフローはステップＳ３０６へ移行する。
【００４０】
ステップＳ３０６では、算出した断線検出閾値ＩＭの補正量のＡＤ変換値ΔＡＤを用いて、断線検出閾値ＩＭのＡＤ変換値ＩＭＡＤの補正を行う。補正は次式（２）により行われる。
（２）・・・ＩＭＡＤ＝ＩＭＡＤ−ΔＡＤ
この後にフローはステップＳ３０７へ移行する。
【００４１】
ステップＳ３０７では、補正を行った断線検出閾値ＩＭのＡＤ変換値ＩＭＡＤを記憶部１Ａｂに記憶する。この後にフローはステップＳ３０８へ移行する。
【００４２】
ステップＳ３０８で断線検出閾値ＩＭの補正動作は終了する。
【００４３】
以上のように、方向指示灯２断線時のモニタ電流Ｉ１の理論値Ｉ１Ｔと実測値Ｉ１Ｒを比較してそのずれを算出し、あらかじめ設定した断線検出閾値ＩＭにそのずれ分の補正を行うことで、断線検出閾値ＩＭの補正を行う。
【００４４】
以上の動作により、電流モニタ部１Ａａを構成する素子特性のばらつきにより電流モニタ部１Ａａに流れるモニタ電流Ｉ１が変動しても、制御装置本体１は方向指示灯２の断線検出を適切に行うことが可能となる。
【実施例２】
【００４５】
本実施例は、複数の種類の方向指示灯３（図示省略）に対して断線検出が可能な制御装置本体１における断線検出閾値ＩＭの補正方法の例で、複数の種類の方向指示灯３に対してそれぞれ設定する断線検出閾値ＩＭに対し、それより少ない数の補正値を用いて各断線検出閾値ＩＭの補正を行うことで、補正時に要するモニタ電流Ｉ１の実測値の計測時間および計測工数の低減を図っている。なお、本実施例では、検査装置１０および制御装置本体１の動作概要は第１の実施例と同一であるため、検査装置１０が行う断線検出閾値ＩＭの補正動作についてのみ図５のフローチャートを用いて説明を行う。なお、本実施例では、５種類の方向指示灯３Ａ〜３Ｅ（図示省略）の断線検出が可能な制御装置本体１についての断線検出閾値ＩＭの補正動作について説明する。
【００４６】
ステップＳ４０１では、５種類の方向指示灯３Ａ〜３Ｅの各断線検出閾値ＩＭ１〜ＩＭ５と、各断線検出閾値ＩＭ１〜ＩＭ５のＡＤ変換値（図５中ではＡＤ値と記載）ＩＭＡＤ１〜ＩＭＡＤ５を設定し、記憶部１Ａｂに記憶させる。５種類の方向指示灯３Ａ〜３Ｅは、図６に示すように、各方向指示灯３Ａ〜３Ｅを構成するバルブの負荷容量と数が異なっている。ここで断線検出閾値ＩＭ１〜ＩＭ５は断線を検出するための電流の閾値で、非断線時は電流モニタ部１Ａａを流れる各モニタ電流Ｉ１が断線検出閾値ＩＭ１〜ＩＭ５以上となり、断線時には各モニタ電流Ｉ１が断線検出閾値ＩＭ１〜ＩＭ５以下になることで、方向指示灯３Ａ〜３Ｅの断線の検出を行う。断線検出閾値ＩＭ１〜ＩＭ５のＡＤ変換値ＩＭＡＤ１〜ＩＭＡＤ５は、計測する電流値の範囲とＡＤ変換のビット数に基づいて算出することができる。なお、本ステップは制御装置本体１製造時にあらかじめ行っておくことも可能である。この後にフローはステップＳ４０２へ移行する。
【００４７】
ステップＳ４０２では、各方向指示灯３Ａ〜３Ｅ断線時に電流モニタ部１Ａａに流れるモニタ電流Ｉ１の理論値Ｉ１Ｔ１〜Ｉ１Ｔ５を算出する。Ｉ１Ｔ１〜Ｉ１Ｔ５の算出は、電源電圧の値、方向指示灯３Ａ〜３Ｅの負荷容量、前述したカレントミラー係数Ｋに基づいて算出することができる。ここで正常時のＩ１の理論値をそれぞれＩ１Ｎ１〜Ｉ１Ｎ５とすると、Ｉ１Ｎ１＞ＩＭ１＞Ｉ１Ｔ１、Ｉ１Ｎ２＞ＩＭ２＞Ｉ１Ｔ２、Ｉ１Ｎ３＞ＩＭ３＞Ｉ１Ｔ３、Ｉ１Ｎ４＞ＩＭ４＞Ｉ１Ｔ４、Ｉ１Ｎ５＞ＩＭ５＞Ｉ１Ｔ５の関係がある。この後にフローはステップＳ４０３へ移行する。
【００４８】
ステップＳ４０３では、算出したＩ１Ｔ１〜Ｉ１Ｔ５のうち、近似値を代表する代表値を選択する。図６の場合、Ｉ１Ｔ１≒Ｉ１Ｔ２＝（Ｉ１Ｔ３＋Ｉ１Ｔ５）／２の関係があり、Ｉ１Ｔ４は０であるため、代表値としてＩ１Ｔ３、Ｉ１Ｔ５を選択する。この後にフローはステップＳ４０４へ移行する。
【００４９】
ステップＳ４０４では、選択したＩ１Ｔ３、Ｉ１Ｔ５に対応する方向指示灯３Ｃ、３Ｅについて、断線時に電流モニタ部１Ａａに流れる電流の実測値Ｉ１Ｒ３、Ｉ１Ｒ５を測定する。この後にフローはステップＳ４０５へ移行する。
【００５０】
ステップＳ４０５では、Ｉ１Ｔ３、Ｉ１Ｔ５、Ｉ１Ｒ３、Ｉ１Ｒ５のＡＤ変換値をそれぞれＩ１Ｔ３ＡＤ、Ｉ１Ｔ５ＡＤ、Ｉ１Ｒ３ＡＤ、Ｉ１Ｒ５ＡＤとして算出する。この後にフローはステップＳ４０６へ移行する。
【００５１】
ステップＳ４０６では、各方向指示灯３Ａ〜３Ｅの断線検出閾値ＩＭ１〜ＩＭ５の補正量のＡＤ変換値ΔＡＤ１〜ΔＡＤ５を次式（３）〜（７）で算出する。
（３）・・・ΔＡＤ３＝Ｉ１Ｔ３ＡＤ−Ｉ１Ｒ３ＡＤ
（４）・・・ΔＡＤ５＝Ｉ１Ｔ５ＡＤ−Ｉ１Ｒ５ＡＤ
（５）・・・ΔＡＤ１＝（ΔＡＤ３＋ΔＡＤ５）／２
（６）・・・ΔＡＤ２＝（ΔＡＤ３＋ΔＡＤ５）／２
（７）・・・ΔＡＤ４＝０（一灯のため断線時は電流が０となり補正は不要）
この後にフローはステップＳ４０７へ移行する。
【００５２】
ステップＳ４０７では、算出した断線検出閾値ＩＭ１〜ＩＭ５の補正量のＡＤ変換値ΔＡＤ１〜ΔＡＤ５を用いて、各方向指示灯３Ａ〜３Ｅの断線検出閾値ＩＭ１〜ＩＭ５のＡＤ変換値ＩＭＡＤ１〜ＩＭＡＤ５の補正を行う。補正は次式（８）〜（１１）により行われる。
（８）・・・ＩＭＡＤ１＝ＩＭＡＤ１−ΔＡＤ１
（９）・・・ＩＭＡＤ２＝ＩＭＡＤ２−ΔＡＤ２
（１０）・・・ＩＭＡＤ３＝ＩＭＡＤ３−ΔＡＤ３
（１１）・・・ＩＭＡＤ４＝ＩＭＡＤ４−ΔＡＤ４
（１２）・・・ＩＭＡＤ５＝ＩＭＡＤ５−ΔＡＤ５
この後にフローはステップＳ４０８へ移行する。
【００５３】
ステップＳ４０８では、補正を行った各方向指示灯３Ａ〜３Ｅの断線検出閾値ＩＭ１〜ＩＭ５のＡＤ変換値ＩＭＡＤ１〜ＩＭＡＤ５を記憶部１Ａｂに記憶する。この後にフローはステップＳ４０９へ移行する。
【００５４】
ステップＳ４０９で各方向指示灯３Ａ〜３Ｅの断線検出閾値ＩＭ１〜ＩＭ５の補正動作は終了する。
【００５５】
以上のように、方向指示灯３Ａ〜３Ｅ断線時に電流モニタ部１Ａａを流れるモニタ電流Ｉ１の各理論値Ｉ１Ｔ１〜Ｉ１Ｔ５と各実測値Ｉ１Ｒ１〜Ｉ１Ｒ５を比較してそのずれを算出し、あらかじめ設定した断線検出閾値ＩＭ１〜ＩＭ５にそのずれ分の補正を行うことで、断線検出閾値ＩＭ１〜ＩＭ５の補正を行う。
【００５６】
以上の動作により、電流モニタ部１Ａａを構成する素子特性のばらつきにより電流モニタ部１Ａａに流れる各モニタ電流Ｉ１が変動しても、制御装置本体１は方向指示灯３Ａ〜３Ｅの断線検出を適切に行うことが可能となる。
【００５７】
また本実施例では５種類の方向指示灯３Ａ〜３Ｅに対してそれぞれ設定する断線検出閾値ＩＭ１〜ＩＭ５に対し、方向指示灯３Ｃと３Ｅの補正値のみを用いて各断線検出閾値ＩＭ１〜ＩＭ５の補正を行うことで、本来方向指示灯３Ａ〜３Ｅそれぞれについて実施を行う必要がある断線時のモニタ電流Ｉ１の実測値Ｉ１Ｒ１〜Ｉ１Ｒ５の計測時間、計測工数の低減を図っている。本実施例のように、複数の方向指示灯３において断線検出閾値ＩＭの補正を行う場合、複数の方向指示灯３のうち断線時に流れるモニタ電流Ｉ１の理論値が近似するものまたは同等のものがある場合は、代表する方向指示灯３について断線時のモニタ電流Ｉ１の実測を行い、この値に基づいて断線検出閾値ＩＭの補正を行うことが可能である。
【００５８】
以上、本発明の実施例を図面により詳述したが、実施例は本発明の例示にしか過ぎず、本発明は実施例の構成にのみ限定されるものではない。したがって本発明の要旨を逸脱しない範囲の設計の変更等があっても本発明に含まれることはもちろんである。
【００５９】
例えば、方向指示灯３の種類数、バルブ負荷容量、バルブ個数は、記載されたものに限定されるものではない。
【００６０】
また実施例ではＡＤ変換を行った補正値を用いて断線検出閾値ＩＭのＡＤ変換値の補正を行っているが、ＡＤ変換前の補正値を用いて断線検出閾値ＩＭの補正を行い、補正後にＡＤ変換を行っても良い。
【図面の簡単な説明】
【００６１】
【図１】本発明の第１、第２の実施例のブロック図である。
【図２】本発明の第１、第２の実施例の検査装置１０のフローチャートである。
【図３】本発明の第１、第２の実施例の制御装置本体１のフローチャートである。
【図４】本発明の第１の実施例における断線検出閾値補正動作のフローチャートである。
【図５】本発明の第２の実施例における断線検出閾値補正動作のフローチャートである。
【図６】本発明の第２の実施例の各種設定値を示した図である。
【符号の説明】
【００６２】
１  制御装置本体
１Ａ  ＣＰＵ
１Ａａ  電流モニタ部
１Ａｂ  記憶部
１Ｂ  駆動部
２  方向指示灯
２Ｒ  車両右側方向指示灯
２Ｌ  車両左側方向指示灯
３、３Ａ〜３Ｅ  方向指示灯
４  警報発生器
５  方向指示灯操作スイッチ
１０  検査装置
【図１】
2007015654.tif 000003
【図２】
2007015654.tif 000004
【図３】
2007015654.tif 000005
【図４】
2007015654.tif 000006
【図５】
2007015654.tif 000007
【図６】
2007015654.tif 000008